(57)【要約】      （修正有）【課題】印刷物を目視した際に潜像が視認されにくく、複写印刷物に潜像がより明瞭に出現する複写牽制印刷物を提供する。【解決手段】複写牽制印刷物は、基材と、前記基材の少なくとも一方の面において、輪郭の内側が塗りつぶされた円形状の第１網点１１が、第１の線数で印刷された第１印刷領域部１０と、前記基材の前記第１印刷領域部と同じ面において、輪郭の内側が塗りつぶされていない領域を有するリング形状の第２網点２２が、前記第１の線数よりも線数の少ない第２の線数で印刷された第２印刷領域部２０と、を備える。【選択図】図２
2019151107.tif 000002
【特許請求の範囲】
【請求項１】
基材と、
前記基材の少なくとも一方の面において、輪郭の内側が塗りつぶされた円形状の第１網点が、第１の線数で印刷された第１印刷領域部と、
前記基材の前記第１印刷領域部と同じ面において、輪郭の内側が塗りつぶされていない領域を有するリング形状の第２網点が、前記第１の線数よりも線数の少ない第２の線数で印刷された第２印刷領域部と、
を備える複写牽制印刷物。
【請求項２】
請求項１に記載の複写牽制印刷物であって、
前記第１網点の網点面積率と、前記第２網点の網点面積率とが同じである複写牽制印刷物。
【請求項３】
請求項１又は請求項２に記載の複写牽制印刷物であって、
前記第２の線数は、前記第１の線数の半分以下である複写牽制印刷物。
【請求項４】
請求項１から請求項３のいずれか１項に記載の複写牽制印刷物であって、
前記円形状の第１網点及び前記リング形状の第２網点は、黒色系インキを含有していない複写牽制印刷物。
【発明の詳細な説明】
【技術分野】
【０００１】
本発明は、複写牽制印刷物に関する。
【背景技術】
【０００２】
従来、有価証券、パスポート、ＩＤ証等のセキュリティ製品においては、偽造が発生すると、製品全般ひいては各企業、団体等に対する消費者の信頼を損なう恐れがあるため、様々な印刷・加工技術が開発されている。このようなセキュリティ対策用の印刷・加工技術として、マイクロ文字、ホログラム、セキュリティスレッド用紙等が知られている。中でも、コピー機を用いて複写したときに、表面に牽制文字（以下、「潜像」ともいう）が現れる技術は、その効果が分かり易く、判別しやすいことから、証書、金券等において幅広く使用されている（例えば、特許文献１〜３参照）。
【先行技術文献】
【特許文献】
【０００３】
【特許文献１】特開昭５９−２２２３９８号公報
【特許文献２】特許第４３８０１０７号公報
【特許文献３】実用新案登録第３１１９７４６号公報
【発明の概要】
【発明が解決しようとする課題】
【０００４】
セキュリティ対策用の印刷・加工技術においては、印刷物を目視した際に潜像が視認されにくく、コピー機で印刷物を複写した際に潜像（複写したことの証拠）がより明瞭に複写印刷物に出現することが求められている。
【０００５】
本発明の目的は、印刷物を目視した際に潜像が視認されにくく、コピー機による複写印刷物に潜像がより明瞭に出現する複写牽制印刷物を提供することにある。
【課題を解決するための手段】
【０００６】
第１の発明は、基材と、前記基材の少なくとも一方の面において、輪郭の内側が塗りつぶされた円形状の第１網点（１１）が、第１の線数で印刷された第１印刷領域部（１０）と、前記基材の前記第１印刷領域部と同じ面において、輪郭の内側が塗りつぶされていない領域を有するリング形状の第２網点（２２）が、前記第１の線数よりも線数の少ない第２の線数で印刷された第２印刷領域部（２０）と、を備える複写牽制印刷物（１）である。
第２の発明は、第１の発明に係る複写牽制印刷物であって、前記第１網点の網点面積率と、前記第２網点の網点面積率とが同じである。
第３の発明は、第１又は第２の発明に係る複写牽制印刷物であって、前記第２の線数は、前記第１の線数の半分以下である。
第４の発明は、第１から第３のいずれかの発明に係る複写牽制印刷物であって、前記円形状の第１網点及び前記リング形状の第２網点は、黒色系インキを含有していない。
【発明の効果】
【０００７】
本発明によれば、印刷物を目視した際に潜像が視認されにくく、当該印刷物を複写した場合に複写印刷物に潜像がより明瞭に出現する複写牽制印刷物を提供できる。
【図面の簡単な説明】
【０００８】
【図１】実施形態のチケット１を券面側から見たときの平面図である。
【図２】図１における領域Ａの拡大図である。
【図３】第２網点２２の説明図である。
【図４】チケット１の複製物１Ａを券面側から見たときの平面図である。
【図５】実施例及び比較例の評価結果を説明する図である。
【発明を実施するための形態】
【０００９】
以下、本発明の実施形態について説明する。なお、本明細書に添付した図面は、いずれも模式図であり、理解しやすさ等を考慮して、各部の形状、縮尺、縦横の寸法比等を、実物から変更又は誇張している。なお、本明細書等において、「円形状」とは、輪郭の内側が塗りつぶされた形状を意味する。円形状は、主に円形、楕円形等の輪のような丸い形を指すが、例えば、多角形のように概ね丸いとみなせる形状でもよい。また、「リング形状」とは、輪郭の内側が塗りつぶされていない領域を有する形状を意味する。リング形状は、概ねリング状とみなせる形状であれば、円形状、楕円形状に限定されない。例えば、多角形のような形状でもよいし、外側の輪郭形状と内側の輪郭形状がそれぞれ異なっていてもよい。更に、リング形状は、主に環状につながった形を指すが、これに限らず、例えば、部分的につながっていない箇所が存在していてもよい。
【００１０】
図１は、本実施形態のチケット１を券面側から見たときの平面図である。図２は、図１における領域Ａの拡大図である。図３は、第２網点２２の説明図である。図３（Ａ）は、６５線３０％の円形状の網点２２ａを示す図である。図３（Ｂ）は、６５線１５％の円形状の網点２２ｂを示す図である。図３（Ｃ）は、６５線３０％の網点（Ａ）から６５線１５％の網点（Ｂ）を抜いたリング形状の第２網点２２を示す図である。図４は、チケット１の複製物１Ａを券面側から見たときの平面図である。
【００１１】
図１に示すチケット１（複写牽制印刷物）は、例えば、鉄道の乗車券、イベントの入場券、招待券等である。チケット１は、有価証券、パスポート、ＩＤ証等のセキュリティ製品であってもよい。図１は、チケット１のベースとなる基材（不図示）の一方の面に形成された券面（例えば、表面）を示している。チケット１の基材は、例えば、矩形状に裁断された紙材である。チケット１の券面には、背景領域１０と複写牽制領域２０とがオフセット印刷により印刷されている。
【００１２】
背景領域１０（第１印刷領域部）は、図２に示すように、円形状の第１網点１１が格子状に印刷された領域である。第１網点１１は、第１の線数で印刷されている。ここで、「線数」とは、１インチ（約２．５４ｃｍ）当たりに配置される網点の数をいう。線数は、網点の細かさを表す単位であり、線数が大きくなるほど一つの網点のサイズが小さくなり、線数が小さくなるほど一つの網点のサイズが大きくなる。また、「網点」とは、色の濃淡を表現するために規則的に配置された点又は点の集まりをいう。色の濃度が高くなるほど網点のサイズが大きくなり、色の濃度が低くなるほど網点のサイズが小さくなる。本実施形態では、網点を「点」として説明する。
【００１３】
本実施形態において、第１の線数は、１５０線である。第１網点１１の線数を１５０線とした場合、一般的なコピー機の解像度では、線数の大きな背景領域１０の濃度差（下地の白色と網点の黒色との濃度差）を検出することが難しい。そのため、チケット１をコピー機で複写した場合、背景領域１０の部分は、元の色が薄く再現される。例えば、背景領域１０の元の色がピンク色であれば、背景領域１０の複写像は、元の色よりもほぼ均一な薄いピンク色となる。
【００１４】
また、第１網点１１による背景領域１０の網点面積率は、１５％である。「網点面積率」とは、単位面積内において、網点の占める総面積（ｓ）と単位面積（Ｓ）との比率（ｓ／Ｓ）をパーセント（％）で表したもの、すなわち濃度をいう。同じ線数でも、網点面積率が増える（網点のサイズが大きくなる）に従って濃度が高くなり、網点面積率が減る（網点のサイズが小さくなる）に従って濃度が低くなる。以下、網点の線数と濃度（網点面積率）を、例えば「６５線１５％」と記載する。
【００１５】
複写牽制領域２０（第２印刷領域部）は、図２に示すように、リング形状の一つ一つの第２網点２２が規則的（例えば、格子状）に印刷された領域である。第２網点２２は、第２の線数で印刷されている。本実施形態において、第２の線数は、第１の線数の半分以下となる６５である。また、第２網点２２による複写牽制領域２０の網点面積率は、第１網点１１と同じく１５％である。複写牽制領域２０には、第２網点２２により、「ＣＯＰＹ」という文字の潜像２１が形成されている。
【００１６】
本実施形態では、第１網点１１の網点面積率（１５％）と第２網点２２の網点面積率（１５％）とが同じであるため、背景領域１０と複写牽制領域２０は、視覚的にほぼ同一の濃度となる。そのため、潜像２１（ＣＯＰＹ）が背景領域１０から目立ちにくくなり、チケット１の券面からより視認されにくくなる。このような効果は、第１網点１１の網点面積率と第２網点２２の網点面積率に僅かな差がある場合にもその程度に応じて奏される。
【００１７】
なお、図１において、複写牽制領域２０に印刷された潜像２１（ＣＯＰＹ）は、誇張して描かれている。実際の潜像２１は、チケット１の券面から目視しただけでは背景領域１０と見分けがつかないため、使用者に違和感を与えることがない。後述するように、潜像２１は、チケット１をコピー機で複写したときに、複製物の表面に明瞭に出現する。
【００１８】
上述した第２網点２２（６５線１５％）の印刷データは、例えば、図３（Ａ）〜（Ｃ）に示す手順で作成できる。図３（Ａ）において、円形状の網点２２ａの線数と濃度は、６５線３０％である。また、図３（Ｂ）において、円形状の網点２２ｂの線数と濃度は、６５線１５％である。これら２つの網点２２ａ及び２２ｂを用いて画像処理を行い、６５線３０％の円形状の網点２２ａから６５線１５％の円形状の網点２２ｂを同心円で抜くことにより、図３（Ｃ）に示すような６５線１５％のリング形状の第２網点２２が得られる。
【００１９】
なお、図３（Ｂ）に示す網点２２ｂの網点面積率を２０％とした場合、図３（Ｃ）に示すリング形状の第２網点２２の網点面積率は、１０％となる。この場合、チケット１をコピー機で複写したときに、潜像２１の複写像は薄くなるため、複製物の表面において視認されにくくなる。
【００２０】
また、図３（Ｂ）に示す網点２２ｂの網点面積率を１０％とした場合、図３（Ｃ）に示すリング形状の第２網点２２の網点面積率は、２０％となる。この場合、複写牽制領域２０の潜像２１は、背景領域１０よりも視覚的に濃度が高くなるため、チケット１をコピー機で複写したときに、潜像２１の複写像が濃くなり、複製物の表面において視認されやすくなる。しかし、チケット１の券面において、潜像２１が視認されやすくなるため、使用者に違和感を与えてしまう。
【００２１】
これに対して、図３（Ｂ）に示す網点２２ｂの網点面積率を１５％とした場合、先に説明したように、背景領域１０と複写牽制領域２０は、視覚的にほぼ同一の濃度となるため、チケット１（真券）の券面において、潜像２１が視認されにくくなる。そのため、チケット１において、潜像２１により形成される複写牽制の自由度を高めることができる。
【００２２】
また、チケット１をコピー機で複写した場合、背景領域１０（第１網点１１）は、一般的なコピー機の解像度では濃度差を検出できない。そのため、図４に示すように、複製物１Ａにおいて、チケット１（真券）の背景領域１０に対応する領域１０Ａは、元の色よりも薄い複写像となる。また、チケット１において、線数の少ない潜像２１（第２網点２２）は、一般的なコピー機の解像度に応じた濃度差として検出されるが、複写されると、リング形状の輪郭の内部が塗りつぶされた複写像となる。そのため、図４に示すように、複製物１Ａにおいて、チケット１の複写牽制領域２０に対応する領域２０Ａには、潜像２１がより明瞭に出現する。
【００２３】
以上説明したように、本実施形態のチケット１は、印刷物として潜像２１（複写牽制領域２０）が目立ちにくく、チケット１の券面から視認されにくいため、使用者に違和感を与えることがない。また、本実施形態のチケット１は、複製物１Ａにおいて、潜像２１がより明瞭に出現するため、複製物１Ａが偽物であることを目視で容易に判別できる。したがって、本実施形態のチケット１は、複製物１Ａの製造をより効果的に牽制できる。
【００２４】
従来の複写牽制印刷物においては、コピー機で複写された際に、牽制文字である潜像がより鮮明に出現するように、潜像を印刷するインキに黒色系インキ（例えば、カーボンブラックインキ等）を混ぜた、濁りのある色インキを使用していた。そのため、潜像の印刷に使用可能なインキには、黒色系インキを含まない明るい色が少なく、印刷物の意匠性を高めることが難しいという課題があった。これに対して、本実施形態のチケット１は、リング形状の第２網点２２を備えることにより、潜像２１を印刷するインキに黒色系インキを混ぜなくても、潜像２１をより鮮明に出現させることができる。これによれば、より明るい色のインキを使用できるようになるため、使用するインキの色の選択肢を増やすことができる。したがって、本実施形態のチケット１によれば、印刷物としての意匠性をより高めることができる。
【００２５】
上述した明るい色のインキとしては、例えば、オフセット印刷であれば、イエロー、マゼンタ、シアンのいずれか１色のインキや、プロセスカラー（イエロー、マゼンタ、シアン）を調肉した特色を用いることができる。背景領域１０は、オフセット印刷であれば、イエロー、マゼンタ、シアン及びブラックのインキを組み合わせてフルカラー印刷してもよいし、いずれか１色のインキで印刷してもよい。背景領域１０及び複写牽制領域２０（潜像２１）の印刷には、オフセット印刷又はこれと同等の解像度で印刷できる手法を用いることが望ましい。
【００２６】
なお、本実施形態のチケット１において、黒色系インキを含むインキにより潜像２１を印刷してもよい。このように、本実施形態のチケット１は、潜像２１を印刷するインキとして、黒色系インキを含まない明るい色のインキから黒色系インキを含むインキまで幅広いバリエーションのインキを使用できる。
【００２７】
従来の複写牽制印刷物として、万線、円形に切り欠きを入れた網点等により潜像を印刷したものが提案されている。このように、方向性のある網点で印刷された潜像をコピー機で複写すると、コピー機の読み取り方向によっては、潜像が出現しにくい場合がある。コピー機の読み取り方向は、機種により異なるため、コピー機によっては、複製物に潜像が出現しない或いはほとんど目立たなくなることもあり得る。これに対して、本実施形態のチケット１は、方向性のないリング形状の第２網点２２により潜像２１が印刷されるため、コピー機の機種に係わらず、潜像２１をより明瞭に出現させることができる。
【実施例】
【００２８】
次に、実施例及び比較例を示して、本発明を更に詳細に説明する。但し、本発明の技術的範囲は、以下に説明する実施例に限定されない。
実施例及び比較例として、複写牽制領域２０（第２網点２２）と背景領域１０（第１網点１１）について、それぞれ線数と網点面積率の数値を変えたサンプルを複数作製し、評価を行った。
複写牽制領域２０の線数として、５５線、６５線、７５線の３種を設定した。また、これらの線数の複写牽制領域２０において、網点面積率の異なる６種の第２網点（ａ）〜（ｆ）により潜像２１を作成した。
【００２９】
（ａ）網点面積率３０％の円形状の網点から網点面積率１５％の円形状の網点を同心円で抜いた網点面積率１５％（３０％−１５％＝１５％）。
（ｂ）網点面積率３０％の円形状の網点から網点面積率１３％の円形状の網点を同心円で抜いた網点面積率１７％（３０％−１３％＝１７％）。
（ｃ）網点面積率３０％の円形状の網点から網点面積率１０％の円形状の網点を同心円で抜いた網点面積率２０％（３０％−１０％＝２０％）。
（ｄ）網点面積率３５％の円形状の網点から網点面積率２３％の円形状の網点を同心円で抜いた網点面積率１２％（３５％−２３％＝１２％）。
（ｅ）網点面積率３５％の円形状の網点から網点面積率２０％の円形状の網点を同心円で抜いた網点面積率１５％（３５％−２０％＝１５％）。
（ｆ）網点面積率３５％の円形状の網点から網点面積率１８％の円形状の網点を同心円で抜いた網点面積率１７％（３５％−１８％＝１７％）。
背景領域１０の線数として、１５０線を設定した。また、背景領域１０の網点面積率として、１５％或いは複写牽制領域２０の網点面積率と同じ値の網点面積率（１２％、１７％、２０％）をそれぞれ作成した。
【００３０】
上述した線数、網点面積率で条件を振り分け、１８パターン（３種×６種）のチケットをそれぞれ作製した。１８パターンのうち、複写牽制領域２０（第２網点２２）と背景領域１０（第１網点１１）のそれぞれの網点面積率が同じであるパターンを実施例、それ以外のパターンを比較例とした。なお、１８パターンのうち、パターン（４）〜（１２）及び（１６）〜（１８）では、線数が１５０線の背景領域１０を複写牽制領域２０とは異なる網点面積率に設定した例を併記している。すなわち、パターン（４）〜（１２）及び（１６）〜（１８）においては、複写牽制領域２０と背景領域１０のそれぞれの網点面積率を同じとしたパターン（（１）〜（３）、（１３）〜（１５））が実施例となり、背景領域１０の網点面積率を複写牽制領域２０の網点面積率と異なる値としたパターンが比較例となる。
【００３１】
実施例及び比較例の各チケット（真券）について、券面における潜像２１（複写牽制領域２０）の視認性を目視により評価した。チケットにおける視認性の評価として、当業者としての知見を有する２０人の評価者を選出し、チケットを顔から３０ｃｍ離した状態で、潜像２１が視認できるかどうかを判定した。この試験項目（以下、「真券の視認性」ともいう）では、チケット（真券）の券面において、潜像２１が視認されにくいか否かが評価の対象となる。２０人のうち１名でも視認できると判定した場合を「×」とし、２０人の全員が視認できないと判定した場合を「〇」とした。
【００３２】
また、実施例及び比較例の各チケットをコピー機で複写して複製物（偽物）を作製し、その券面における潜像２１（複写牽制領域２０）の視認性を目視により評価した。評価者及び人数は、上記と同じである。複製物における視認性の評価は、複製物の潜像２１が視認できるかどうかにより評価した。この試験項目（以下、「複製物の視認性」ともいう）では、複製物（偽物）の券面において、潜像２１が明瞭に出現するか否かが評価の対象となる。２０人の全員が視認できると判定した場合を「〇」とし、２０人のうち１名でも視認できないと判定した場合を「×」とした。なお、チケット（真券）を複写したコピー機として、読み取り解像度６００×６００ｄｐｉ、書き込み解像度６００×６００ｄｐｉ（「ｄｐｉ」とは、１インチ当たりのドット数）の市販コピー機を使用した。実施例及び比較例の評価結果を図５に示す。
【００３３】
図５において、パターン（４）〜（１２）及び（１６）〜（１８）では、線数が１５０線の背景領域１０について、複写牽制領域２０とは異なる網点面積率とした例を併記している。そのため、上記各パターンでは、背景領域の項目が２つに分かれている。右側の項目は、複写牽制領域２０と背景領域１０のそれぞれの網点面積率を同じとしたパターンを示している。また、左側の項目は、背景領域１０の網点面積率を１５％にしたパターンを示している。
【００３４】
図５に示すように、複写牽制領域２０と背景領域１０のそれぞれの網点面積率が同じで、且つ、それぞれの網点面積率を１５％とした実施例では、いずれのパターンにおいても、真券の視認性において良好な結果が得られた。
また、複写牽制領域２０と背景領域１０のそれぞれの網点面積率が同じで、且つ、それぞれの網点面積率を１７％とした実施例では、いずれも真券の視認性において良好な結果が得られた。
更に、複写牽制領域２０と背景領域１０のそれぞれの網点面積率が同じで、且つ、それぞれの網点面積率が２０％となる実施例では、いずれのパターンにおいても、真券の視認性及び複製物の視認性の両項目において良好な結果が得られた。
【００３５】
一方、複写牽制領域２０と背景領域１０のそれぞれの網点面積率が同じではない比較例では、いずれのパターンにおいても、真券の視認性の項目において良好な結果が得られなかった。複写牽制領域２０と背景領域１０のそれぞれの網点面積率が異なる組み合わせでは、真券の視認性において、背景領域１０に対する複写牽制領域２０の濃淡差により、潜像２１が視認されやすくなったと推測される。また、複写牽制領域２０と背景領域１０のそれぞれの網点面積率が同じであっても、それぞれの網点面積率を１２％とした組み合わせでは、いずれも複製物の視認性において良好な結果が得られていない。複製物の視認性においては、複写牽制領域２０と背景領域１０のそれぞれの網点面積率が共に低いために、潜像２１が視認されにくくなったと推測される。
【００３６】
以上の結果から、複写牽制領域２０と背景領域１０のそれぞれの網点面積率が同じで、且つ、それぞれの網点面積率を１５％とした実施例のパターンでは、真券の視認性において良好な結果が得られ、複製物の視認性については６７％で良好な結果となることが明らかとなった。また、複写牽制領域２０と背景領域１０のそれぞれの網点面積率が同じで、且つ、それぞれの網点面積率を１７％とした実施例のパターンでは、真券の視認性において良好な結果が得られ、複製物の視認性については８３％で良好な結果となることが明らかとなった。特に、複写牽制領域２０と背景領域１０のそれぞれの網点面積率が同じで、且つ、それぞれの網点面積率を２０％とした実施例のパターンでは、真券の視認性及び複製物の視認性の両項目において、いずれも良好な結果が得られることが明らかとなった。
【００３７】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００３８】
（変形形態）
実施形態の第１網点１１において、縦横の比率は、必ずしも同じ（円形）でなくてもよく、例えば、楕円形状であってもよい。円形状の第１網点１１を楕円形状とした場合において、長辺と短辺の比率は、例えば、長辺を１としたときに、１：０．７５〜１の範囲であってもよい。
【００３９】
実施形態の第２網点２２において、縦横の比率は、必ずしも同じ（円形）でなくてもよく、例えば、楕円形状であってもよい。リング形状の第２網点２２を楕円形状とした場合において、長辺と短辺の比率は、例えば、長辺を１としたときに、１：０．７５〜１の範囲であってもよい。
【００４０】
実施形態では、背景領域１０を円形状の第１網点１１（１５０線１５％）で印刷し、複写牽制領域２０の潜像２１をリング形状の第２網点２２（６５線１５％）で印刷した例について説明したが、これに限定されない。背景領域１０をリング形状の第２網点２２（６５線１５％）で印刷し、複写牽制領域２０の潜像２１を円形状の第１網点１１（１５０線１５％）で印刷してもよい。この場合は、コピー機で複写することにより、複写牽制領域２０が消失又は色が薄くなる。すなわち、図４に示す複製物１Ａの場合とは異なり、背景の領域１０Ａが明瞭となる反面、チケット１の複写牽制領域２０に対応する領域２０Ａ（ＣＯＰＹ）は、消失するか、元の色より薄くなる。そのため、複製物１Ａにおいて、チケット１の複写牽制領域２０に対応する領域２０Ａには、白抜き又は背景の領域１０Ａよりも明らかに色の薄い潜像２１が明瞭に出現する。したがって、この場合もコントラストの差により潜像２１が明瞭に視認できるため、使用者は、複製物１Ａが偽物であることを目視で容易に判別できる。
【００４１】
実施形態では、第１網点１１の線数（第１の線数）を１５０とし、第２網点２２の線数（第２の線数）を６５にした例について説明したが、これに限定されない。第２網点２２の線数は、第１網点１１の線数の半分以下であればよい。第２網点２２の線数は、第１網点１１の線数に対して、例えば、０．３〜０．５の範囲であってもよい。例えば、第２網点２２の線数が第１網点１１の線数に対して０．５を超えると、第２網点２２と第１網点１１との濃淡差が小さくなるため、複写したときに複写牽制領域２０が視認されにくくなる。また、第２網点２２の線数が第１網点１１の線数に対して０．３に満たないと、第２網点２２と第１網点１１との濃淡差が大きくなるため、真券の券面において複写牽制領域２０が視認されやすくなる。
【００４２】
また、第１網点１１及び第２網点２２の網点面積率は、１５％に限定されない。第１網点１１及び第２網点２２の網点面積率は、好ましくは１５％以上であり、より好ましくは２０％である。背景領域１０における第１網点１１の濃度と、複写牽制領域２０における第２網点２２の濃度とを視覚的にほぼ同一にできれば、どのような網点面積率であってもよい。
【００４３】
本実施形態において、チケット１の基材は、紙材に限らず、例えば、プラスチックカードでもよい。また、本発明に係る複写牽制印刷物は、チケット１のような単体の印刷物に限らず、例えば、パスポート等の冊子体、公的機関へ提出するための書類、証明書等であってもよい。
【符号の説明】
【００４４】
１：チケット、１０：背景領域、１１：第１網点、２０：複写牽制領域、２１：潜像、２２：第２網点
【図１】
2019151107.tif 000003
【図２】
2019151107.tif 000004
【図３】
2019151107.tif 000005
【図４】
2019151107.tif 000006
【図５】
2019151107.tif 000007